(57)【要約】【課題】携帯端末に多大な処理の負担をかけることなく受信メールまたは送信メールの表示規制をかける。【解決手段】アドレス抽出部１０４にて送信メールまたは受信メールから抽出されたメールアドレスと表示規制アドレス記憶部１０５に予め設定された表示が規制される表示規制対象の電子メールのメールアドレスとが表示規制判断部１０６にて比較され、その比較結果に基づいた、当該電子メールが表示規制対象の電子メールであるか否かを示す表示規制情報が、当該電子メールと対応付けられて記憶され、記憶された表示規制情報に対応付けられた電子メールを表示部１１１に表示するか否かが表示制御部１１０にて制御される。【選択図】図１
2008059441.tif 000002
【特許請求の範囲】
【請求項１】
電子メールを表示する機能を有する携帯端末であって、
送信または受信された電子メールからメールアドレスを抽出するアドレス抽出手段と、
表示が規制される表示規制対象の電子メールのメールアドレスを予め記憶する表示規制アドレス記憶手段と、
前記アドレス抽出手段にて抽出されたメールアドレスと前記表示規制アドレス記憶手段にて記憶されているメールアドレスとを比較し、その比較結果に基づいた、前記電子メールが表示規制対象の電子メールであるか否かを示す情報である表示規制情報と前記電子メールとを対応付ける表示規制判断手段と、
前記表示規制判断手段にて対応付けられた前記電子メールと前記表示規制情報との対応付けを記憶するメール記憶手段と、
前記表示規制情報に基づいて、該表示規制情報と対応付けられた電子メールを表示するか否かを制御する表示制御手段とを有する携帯端末。
【請求項２】
請求項１に記載の携帯端末において、
前記電子メールの表示規制を解除するパスワードを予め記憶するパスワード記憶手段と、
入力されたパスワードと、前記パスワード記憶手段に記憶されているパスワードとを比較する表示規制パスワード判断手段とを有し、
前記表示制御手段は、前記表示規制パスワード判断手段にて、入力されたパスワードと、前記パスワード記憶手段に記憶されているパスワードとが一致した場合、前記表示が規制された電子メールの表示の規制を解除することを特徴とする携帯端末。
【請求項３】
請求項１または請求項２に記載の携帯端末において、
前記表示規制情報は、１ビットの情報であることを特徴とする携帯端末。
【請求項４】
請求項１乃至３のいずれか１項に記載の携帯端末において、
前記表示制御手段は、前記表示規制判断手段における前記受信された電子メールから抽出されたメールアドレスと前記表示規制アドレス記憶手段にて記憶されているメールアドレスとの比較結果が一致である場合、表示規制の対象であるメールが受信された旨を示す情報を表示する制御を行い、また、前記比較結果が不一致である場合、表示規制の対象でないメールが受信された旨を示す情報を表示する制御を行うことを特徴とする携帯端末。
【請求項５】
電子メールを表示する機能を有する携帯端末におけるメール表示規制方法であって、
送信または受信された電子メールからメールアドレスを抽出する処理と、
前記抽出されたメールアドレスと予め記憶されているメールアドレスとを比較する処理と、
前記比較の結果に基づいた、前記電子メールが表示規制対象の電子メールであるか否かを示す情報である表示規制情報と前記電子メールとを対応付ける処理と、
前記表示規制情報に基づいて、該表示規制情報と対応付けられた電子メールを表示するか否かを制御する処理とを有するメール表示規制方法。
【請求項６】
請求項５に記載のメール表示規制方法において、
入力されたパスワードと、予め記憶されているパスワードとを比較する処理と、
前記入力されたパスワードと、前記記憶されているパスワードとが一致した場合、前記表示が規制された電子メールの表示の規制を解除する処理とを有することを特徴とするメール表示規制方法。
【請求項７】
請求項５または請求項６に記載のメール表示規制方法において、
前記電子メールが受信されたとき、前記比較の結果が一致である場合、表示規制の対象であるメールが受信された旨を示す情報を表示する処理と、
前記電子メールが受信されたとき、前記比較の結果が不一致である場合、表示規制の対象でないメールが受信された旨を示す情報を表示する処理とを有することを特徴とするメール表示規制方法。
【発明の詳細な説明】
【技術分野】
【０００１】
本発明は、電子メール表示機能を有する携帯端末及び携帯端末におけるメール表示規制方法に関する。
【背景技術】
【０００２】
近年、電子メール（以下、メールと称する）機能付きの携帯端末が急速に普及してきている。それに伴い、その携帯端末にて受信されたメール、または携帯端末から送信されたメールの内容を、無許可で他人に見られてしまうという虞が出てきている。
【０００３】
そこで、受信されたメール、または送信されたメールの内容等の個人情報を他人が閲覧できないように表示規制するために、様々な技術が考えられている。
【０００４】
例えば、メールが受信された際、当該メールの送信元のメールアドレスや電話番号等が、予め設定されたメールアドレスや電話番号等であるかどうかを判断し、予め設定されたメールアドレスや電話番号等であると判断された場合には、当該メールを表示せず（規制し）、予め決められた所定キーが入力された後に、当該メール情報を表示する技術が考えられている（例えば、特許文献１参照。）。
【０００５】
また、送信者が送信メールを他人に閲覧されたくない場合、送信されるメールにパスワードを付加して送信し、受信者が所持する携帯端末にて当該メールが受信された際に受信メール一覧表示を行うと共にパスワードの入力を要求する。入力されたパスワードとメールに付加されたパスワードとの照合を行い、一致した場合、選択された一つのメール内容を表示する技術が考えられている（例えば、特許文献２参照。）。
【０００６】
また、受信メールを表示させたくない当該受信メールの受信（送信元）メールアドレス、または送信メールを表示させたくない当該送信メールの送信（送信先）メールアドレスを、当該携帯端末に保存されている受信メール一覧、または送信メール一覧の中から設定し、当該携帯端末に保存されている受信メールまたは送信メールのうち、設定された受信メールアドレスを持つ受信メールまたは送信メールアドレスを持つ送信メールを表示させない技術が考えられている（例えば、特許文献３参照。）。
【特許文献１】特開平１１−３０８３６０号公報
【特許文献２】特開２００３−１９６２１８号公報
【特許文献３】特開２００２−３７３１４０号公報
【発明の開示】
【発明が解決しようとする課題】
【０００７】
しかしながら、特許文献１に記載された技術においては、メールの表示規制を解除するために、当該メールに対して１件毎にパスワードを入力しなければならないため、利用者がメールを閲覧するときに、非常に手間がかかってしまうという問題点がある。
【０００８】
また、特許文献２に記載された技術においては、メールの表示規制を解除するために、送信者と受信者との間にて、共通のパスワードを予め設定しておかなくてはならないという問題点がある。
【０００９】
さらに、特許文献３に記載の技術においては、表示させたくないメール、つまり表示規制の対象となるメールを、保存されている受信メールまたは送信メールから検索する処理が必要となってしまうという問題点がある。
【００１０】
本発明は、上述したような従来の技術が有する問題点に鑑みてなされたものであって、携帯端末に多大な処理の負担をかけることなく受信メールまたは送信メールの表示規制をかけることができる携帯端末及び携帯端末におけるメール表示規制方法を提供することを目的とする。
【課題を解決するための手段】
【００１１】
上記目的を達成するために本発明は、
電子メールを表示する機能を有する携帯端末であって、
送信または受信された電子メールからメールアドレスを抽出するアドレス抽出手段と、
表示が規制される表示規制対象の電子メールのメールアドレスを予め記憶する表示規制アドレス記憶手段と、
前記アドレス抽出手段にて抽出されたメールアドレスと前記表示規制アドレス記憶手段にて記憶されているメールアドレスとを比較し、その比較結果に基づいた、前記電子メールが表示規制対象の電子メールであるか否かを示す情報である表示規制情報と前記電子メールとを対応付ける表示規制判断手段と、
前記表示規制判断手段にて対応付けられた前記電子メールと前記表示規制情報との対応付けを記憶するメール記憶手段と、
前記表示規制情報に基づいて、該表示規制情報と対応付けられた電子メールを表示するか否かを制御する表示制御手段とを有する。
【００１２】
また、前記電子メールの表示規制を解除するパスワードを予め記憶するパスワード記憶手段と、
入力されたパスワードと、前記パスワード記憶手段に記憶されているパスワードとを比較する表示規制パスワード判断手段とを有し、
前記表示制御手段は、前記表示規制パスワード判断手段にて、入力されたパスワードと、前記パスワード記憶手段に記憶されているパスワードとが一致した場合、前記表示が規制された電子メールの表示の規制を解除することを特徴とする。
【００１３】
また、前記表示規制情報は、１ビットの情報であることを特徴とする携帯端末。
【００１４】
また、前記表示制御手段は、前記表示規制判断手段における前記受信された電子メールから抽出されたメールアドレスと前記表示規制アドレス記憶手段にて記憶されているメールアドレスとの比較結果が一致である場合、表示規制の対象であるメールが受信された旨を示す情報を表示する制御を行い、また、前記比較結果が不一致である場合、表示規制の対象でないメールが受信された旨を示す情報を表示する制御を行うことを特徴とする。
【００１５】
また、電子メールを表示する機能を有する携帯端末におけるメール表示規制方法であって、
送信または受信された電子メールからメールアドレスを抽出する処理と、
前記抽出されたメールアドレスと予め記憶されているメールアドレスとを比較する処理と、
前記比較の結果に基づいた、前記電子メールが表示規制対象の電子メールであるか否かを示す情報である表示規制情報と前記電子メールとを対応付ける処理と、
前記表示規制情報に基づいて、該表示規制情報と対応付けられた電子メールを表示するか否かを制御する処理とを有する。
【００１６】
また、入力されたパスワードと、予め記憶されているパスワードとを比較する処理と、
前記入力されたパスワードと、前記記憶されているパスワードとが一致した場合、前記表示が規制された電子メールの表示の規制を解除する処理とを有することを特徴とする。
【００１７】
また、前記電子メールが受信されたとき、前記比較の結果が一致である場合、表示規制の対象であるメールが受信された旨を示す情報を表示する処理と、
前記電子メールが受信されたとき、前記比較の結果が不一致である場合、表示規制の対象でないメールが受信された旨を示す情報を表示する処理とを有することを特徴とする。
【００１８】
上記のように構成された本発明においては、アドレス抽出手段にて送信メールまたは受信メールから抽出されたメールアドレスと表示規制アドレス記憶手段に予め設定された表示が規制される表示規制対象の電子メールのメールアドレスとが表示規制判断手段にて比較され、その比較結果に基づいた、当該電子メールが表示規制対象の電子メールであるか否かを示す表示規制情報が、当該電子メールと対応付けられて記憶され、記憶された表示規制情報に対応付けられた電子メールを表示するか否かが表示制御手段にて制御される。
【００１９】
これにより、当該電子メールを表示するか否かを判断するには表示規制情報のみを参照すれば良い。また、表示規制が設定された後、電子メールが送信または受信された時点で、当該電子メールが表示規制対象の電子メールかどうかが判断され、その結果と共にメール記憶手段に記憶されるため、すでに記憶されている送信メールまたは受信メールを検索する必要はない。
【発明の効果】
【００２０】
以上説明したように本発明においては、アドレス抽出手段にて送信メールまたは受信メールから抽出されたメールアドレスと表示規制アドレス記憶手段に予め設定された表示が規制される表示規制対象の電子メールのメールアドレスとを表示規制判断手段が比較し、その比較結果に基づいた、当該電子メールが表示規制対象の電子メールであるか否かを示す表示規制情報を、当該電子メールと対応付けて記憶し、記憶された表示規制情報に対応付けられた電子メールを表示するか否かを表示制御手段が制御する構成としたため、携帯端末に多大な処理の負担をかけることなく受信メールまたは送信メールの表示規制をかけることができる。
【発明を実施するための最良の形態】
【００２１】
以下に、本発明の実施の形態について図面を参照して説明する。
【００２２】
図１は、本発明の携帯端末の実施の一形態を示す図である。
【００２３】
本形態は図１に示すように、アンテナ１０１と、無線部１０２と、ベースバンド処理部１０３と、アドレス抽出部１０４と、表示規制アドレス記憶部１０５と、表示規制判断部１０６と、メール振り分け部１０７と、送信メール記憶部１０８と、受信メール記憶部１０９と、表示制御部１１０と、表示部１１１と、入力部１１２と、パスワード記憶部１１３と、表示規制パスワード判断部１１４とから構成されている。ここで、図１において示した構成要素は、本発明に関わる構成要素のみを示した。
【００２４】
アンテナ１０１は、通話やメールにて使用される電波を発信及び受信する。無線部１０２は、アンテナ１０１にて受信された電波であるＲＦ信号を周波数変換やＡ／Ｄ（アナログ−デジタル）変換等を行って、ベースバンド処理部１０３へ出力する。また、ベースバンド処理部１０３にて処理された信号についてＤ／Ａ（デジタル−アナログ）変換、帯域制限、増幅、周波数変換を行って、ＲＦ信号をアンテナ１０１へ出力する。ベースバンド処理部１０３は、無線部１０２から出力された信号、または無線部１０２へ出力する信号について、通常のベースバンド処理を行う。アドレス抽出部１０４は、当該携帯端末から送信される送信メールから当該送信メールの送信先である送信メールアドレス、または当該携帯端末にて受信された受信メールから当該受信メールの発信元である受信メールアドレスを抽出する。表示規制アドレス記憶部１０５は、表示規制するメールのメールアドレスを記憶する。表示規制アドレス記憶部１０５に記憶されるメールアドレスは、利用者によって入力部１１２から予め設定される。表示規制判断部１０６は、アドレス抽出部１０４にて抽出されたメールアドレスと表示規制アドレス記憶部１０５に設定されたメールアドレスとを比較して、当該メールアドレスが抽出された送信メールまたは受信メールの表示を規制、つまりシークレット状態にするかどうかを判断する。メール振り分け部１０７は、当該携帯端末から送信されたメールを送信メール記憶部１０５へ、また当該携帯端末にて受信されたメールを受信メール記憶部１０６へ振り分ける。送信メール記憶部１０８は、メール振り分け部１０７によって振り分けられた送信メールを記憶する。受信メール記憶部１０９は、メール振り分け部１０７によって振り分けられた受信メールを記憶する。表示制御部１１０は、表示部１１１に表示する内容を制御する。表示部１１１は、送信メールアドレスや受信メールアドレスを含む情報を表示する一般的なディスプレイである。ここでは、表示制御部１１０は、送信メール記憶部１０８に記憶された送信メールのうち、表示が規制されていない送信メール、及び受信メール記憶部１０９に記憶された受信メールのうち、表示が規制されていない受信メールが表示部１１１に表示されるように制御を行う。入力部１１２は、利用者によって情報が入力されるキーボード等の入力手段である。パスワード記憶部１１３は、表示が規制された送信メールまたは受信メールの表示の規制を解除するためのパスワードを記憶する。パスワード記憶部１１３に記憶されるパスワードは、利用者によって入力部１１２から予め設定される。表示規制パスワード判断部１１４は、入力部１１２から入力されたパスワードとパスワード記憶部１１３に記憶されたパスワードとを比較して、表示規制を解除するかどうかを判断する。
【００２５】
以下に、上記のように構成された携帯端末におけるメール表示規制方法について説明する。
【００２６】
図２は、図１に示した携帯端末におけるメール表示規制方法のうち、送信メールの表示の規制を設定する方法を説明するためのフローチャートである。
【００２７】
携帯端末からメールが送信されると（ステップＳ１）、当該送信メールの宛て先である送信メールアドレスがアドレス抽出部１０４にて抽出される（ステップＳ２）。
【００２８】
アドレス抽出部１０４にて抽出されたメールアドレスが、表示規制判断部１０６にて表示規制対象のメールアドレスかどうかが判断される（ステップＳ３）。具体的には、表示規制アドレス記憶部１０５に予め設定されたメールアドレスとアドレス抽出部１０４にて抽出されたメールアドレスとが比較され、それらが一致した場合、アドレス抽出部１０４にて抽出されたメールアドレスは、表示規制対象のメールアドレスであると判断されることとなる。また、表示規制アドレス記憶部１０５に予め設定されたメールアドレスとアドレス抽出部１０４にて抽出されたメールアドレスとが比較され、それらが不一致である場合は、アドレス抽出部１０４にて抽出されたメールアドレスは、表示規制対象のメールアドレスではないと判断されることとなる。
【００２９】
アドレス抽出部１０４にて抽出されたメールアドレスが、表示規制判断部１０６にて表示規制対象のメールアドレスであることが、ステップＳ３にて判断された場合、フラグに「１」が設定される（ステップＳ４）。このフラグは、本メールが表示規制対象のメールであるかを示す表示規制情報として、当該メールアドレスの情報に付加される１ビットの情報である。
【００３０】
一方、アドレス抽出部１０４にて抽出されたメールアドレスが、表示規制判断部１０６にて表示規制対象のメールアドレスではないことが、ステップＳ３にて判断された場合、フラグに「０」が設定される（ステップＳ５）。
【００３１】
そして、これらのメールアドレスを有する送信メールが、メール振り分け部１０７にて送信メールに振り分けられ、ステップＳ４及びステップＳ５にて設定されたフラグに対応付けられて送信メール記憶部１０８に記憶される（ステップＳ６）。
【００３２】
図３は、送信メール記憶部１０８に記憶された、送信メールと送信メールそれぞれに設定されたフラグとの対応付けを示す図である。
【００３３】
図３に示すように、送信メール記憶部１０８には、送信メールの内容である、メールアドレス、本文、及び添付ファイルが記憶されており、ステップＳ４またはステップＳ５にてそれぞれ設定されたフラグが対応付けられて記憶されている。
【００３４】
例えば、ａｂ＠ｘｘｘ．ｘｘが送信メールアドレスである送信メールには、フラグ「０」が対応付けられて記憶されている。つまり、ａｂ＠ｘｘｘ．ｘｘが送信メールアドレスである送信メールは、表示規制対象外であることが示されている。また、ｂｃ＠ｘｘｘ．ｘｘが送信メールアドレスである送信メールには、フラグ「０」が対応付けられて記憶されている。つまり、ｂｃ＠ｘｘｘ．ｘｘが送信メールアドレスである送信メールは、表示規制対象外であることが示されている。また、ｃｄ＠ｘｘｘ．ｘｘが送信メールアドレスである送信メールには、フラグ「０」が対応付けられて記憶されている。つまり、ｃｄ＠ｘｘｘ．ｘｘが送信メールアドレスである送信メールは、表示規制対象外であることが示されている。また、ｄｅ＠ｘｘｘ．ｘｘが送信メールアドレスである送信メールには、フラグ「０」が対応付けられて記憶されている。つまり、ｄｅ＠ｘｘｘ．ｘｘが送信メールアドレスである送信メールは、表示規制対象外であることが示されている。また、ｅｆ＠ｘｘｘ．ｘｘが送信メールアドレスである送信メールには、フラグ「０」が対応付けられて記憶されている。つまり、ｅｆ＠ｘｘｘ．ｘｘが送信メールアドレスである送信メールは、表示規制対象外であることが示されている。また、ｆｇ＠ｘｘｘ．ｘｘが送信メールアドレスである送信メールには、フラグ「０」が対応付けられて記憶されている。つまり、ｆｇ＠ｘｘｘ．ｘｘが送信メールアドレスである送信メールは、表示規制対象外であることが示されている。また、ｖｂ＠ｘｘｘ．ｘｘが送信メールアドレスである送信メールには、フラグ「１」が対応付けられて記憶されている。つまり、ｖｂ＠ｘｘｘ．ｘｘが送信メールアドレスである送信メールは、表示規制対象のメールであることが示されている。また、ｙｙ＠ｘｘｘ．ｘｘが送信メールアドレスである送信メールには、フラグ「１」が対応付けられて記憶されている。つまり、ｙｙ＠ｘｘｘ．ｘｘが送信メールアドレスである送信メールは、表示規制対象のメールであることが示されている。
【００３５】
図４は、図１に示した携帯端末におけるメール表示規制方法のうち、受信メールの表示の規制を設定する方法を説明するためのフローチャートである。
【００３６】
携帯端末にてメールが受信されると（ステップＳ１１）、アンテナ１０１、無線部１０２、及びベースバンド処理部１０３を介して受信された当該受信メールの発信元である受信メールアドレスがアドレス抽出部１０４にて抽出される（ステップＳ１２）。
【００３７】
アドレス抽出部１０４にて抽出されたメールアドレスが、表示規制判断部１０６にて表示規制対象のメールアドレスかどうかが判断される（ステップＳ１３）。具体的には、表示規制アドレス記憶部１０５に予め設定されたメールアドレスとアドレス抽出部１０４にて抽出されたメールアドレスとが比較され、それらが一致した場合、アドレス抽出部１０４にて抽出されたメールアドレスは、表示規制対象のメールアドレスであると判断されることとなる。また、表示規制アドレス記憶部１０５に予め設定されたメールアドレスとアドレス抽出部１０４にて抽出されたメールアドレスとが比較され、それらが不一致である場合は、アドレス抽出部１０４にて抽出されたメールアドレスは、表示規制対象のメールアドレスではないと判断されることとなる。
【００３８】
アドレス抽出部１０４にて抽出されたメールアドレスが、表示規制判断部１０６にて表示規制対象のメールアドレスであることが、ステップＳ１３にて判断された場合、フラグに「１」が設定される（ステップＳ１４）。このフラグは、送信メールの場合と同様に、当該メールアドレスの情報に付加される１ビットの情報である。
【００３９】
一方、アドレス抽出部１０４にて抽出されたメールアドレスが、表示規制判断部１０６にて表示規制対象のメールアドレスではないことが、ステップＳ１３にて判断された場合、フラグに「０」が設定される（ステップＳ１５）。
【００４０】
またこのとき、メールが受信された旨を示す情報が表示部１１１に表示されるものであっても良い。
【００４１】
図５は、本発明の携帯端末にてメールが受信された旨を示す情報が表示された表示部１１１の一例を示す図である。
【００４２】
図５に示すように、携帯端末にて受信されたメールの受信メールアドレスが表示規制対象のメールアドレスではない場合、表示規制の対象でないメールが受信された旨を示す情報である「通常Ｍａｉｌ」のアイコンが表示される。また、携帯端末にて受信されたメールの受信メールアドレスが表示規制対象のメールアドレスである場合は、表示規制の対象であるメールが受信された旨を示す情報である「規制Ｍａｉｌ」のアイコンが表示される。
【００４３】
そして、これらのメールアドレスを有する受信メールが、メール振り分け部１０７にて受信メールに振り分けられ、ステップＳ１４及びステップＳ１５にて設定されたフラグに対応付けられて受信メール記憶部１０９に記憶される（ステップＳ１６）。
【００４４】
受信メール記憶部１０８に記憶される、受信メールと受信メールそれぞれに設定されたフラグとの対応付けは、図３に示した送信メールの場合と同様である。
【００４５】
次に、図１に示した携帯端末におけるメール表示規制方法のうち、送信メールの表示を規制する方法について説明する。
【００４６】
図６は、図１に示した携帯端末におけるメール表示規制方法のうち、送信メールの表示を規制する方法を説明するためのフローチャートである。
【００４７】
まず、携帯端末の利用者によって携帯端末の表示部１１１に送信メール一覧の表示が指示されると（ステップＳ２１）、表示制御部１１０にて、送信メール記憶部１０８から、記憶されている送信メールが１つ抽出される（ステップＳ２２）。利用者による送信メール一覧の表示指示は、表示部１１１に表示されたメニューの中から利用者によって送信メール一覧表示が選択されるものである。そして、抽出された送信メールに対応付けられたフラグが「１」であるか「０」であるかが判断される（ステップＳ２３）。
【００４８】
表示制御部１１０にて、フラグが「１」であると判断された場合、表示制御部１１０によって当該送信メールは表示部１１１に表示されない（ステップＳ２４）。ここで、送信メール一覧を示すリストに当該送信メールが表示されないものであっても良い。
【００４９】
一方、表示制御部１１０にて、フラグが「０」であると判断された場合は、表示制御部１１０によって当該送信メールは表示部１１１に表示される（ステップＳ２５）。ここで、送信メール一覧を示すリストに当該送信メールが表示されるものであっても良い。
【００５０】
その後、送信メール記憶部１０８にステップＳ２３のフラグの判断が行われていない送信メールがあるかどうかが判断され（ステップＳ２６）、送信メール記憶部１０８にステップＳ２３のフラグの判断が行われていない送信メールがなくなるまで、ステップＳ２２〜２５の処理が繰り返し行われる。
【００５１】
これにより、フラグが「０」である送信メール、つまり表示規制対象ではない送信メールのみが表示部１１１に表示されることとなる。
【００５２】
図７は、図１に示した携帯端末におけるメール表示規制方法のうち、受信メールの表示を規制する方法を説明するためのフローチャートである。
【００５３】
まず、携帯端末の利用者によって携帯端末の表示部１１１に受信メール一覧の表示が指示されると（ステップＳ３１）、表示制御部１１０にて、受信メール記憶部１０９から、記憶されている受信メールが１つ抽出される（ステップＳ３２）。利用者による受信メール一覧の表示指示は、表示部１１１に表示されたメニューの中から利用者によって受信メール一覧表示が選択されるものである。そして、抽出された受信メールに対応付けられたフラグが「１」であるか「０」であるかが判断される（ステップＳ３３）。
【００５４】
表示制御部１１０にて、フラグが「１」であると判断された場合、表示制御部１１０によって当該受信メールは表示部１１１に表示されない（ステップＳ３４）。ここで、受信メール一覧を示すリストに当該受信メールが表示されないものであっても良い。
【００５５】
一方、表示制御部１１０にて、フラグが「０」であると判断された場合は、表示制御部１１０によって当該受信メールは表示部１１１に表示される（ステップＳ３５）。ここで、受信メール一覧を示すリストに当該受信メールが表示されるものであっても良い。
【００５６】
その後、受信メール記憶部１０９にステップＳ３３のフラグの判断が行われていない受信メールがあるかどうかが判断され（ステップＳ３６）、受信メール記憶部１０９にステップＳ３３のフラグの判断が行われていない受信メールがなくなるまで、ステップＳ３２〜３５の処理が繰り返し行われる。
【００５７】
これにより、フラグが「０」である受信メール、つまり表示規制対象ではない受信メールのみが表示部１１１に表示されることとなる。
【００５８】
次に、図１に示した携帯端末におけるメール表示規制方法のうち、送信メールまたは受信メールの表示の規制を解除する方法について説明する。
【００５９】
図８は、図１に示した携帯端末におけるメール表示規制方法のうち、送信メールまたは受信メールの表示の規制を解除する方法を説明するためのフローチャートである。
【００６０】
利用者によって、入力部１１２からパスワードが入力されると（ステップＳ４１）、入力されたパスワードとパスワード記憶部１１３に予め記憶されているパスワードとが、表示規制パスワード判断部１１４にて比較される（ステップＳ４２）。
【００６１】
入力部１１２から入力されたパスワードとパスワード記憶部１１３に予め記憶されているパスワードとが一致しないと判断された場合、処理は終了する。
【００６２】
一方、入力部１１２から入力されたパスワードとパスワード記憶部１１３に予め記憶されているパスワードとが一致したと判断された場合は、表示規制パスワード判断部１１４によって、送信メール記憶部１０８及び受信メール記憶部１０９に記憶されている送信メール及び受信メールのフラグが「０」に書き換えられる（ステップＳ４３）。
【００６３】
これにより、フラグが「１」であることにより表示規制されていた送信メール及び受信メールが表示部１１１に表示されることとなる。
【００６４】
ここで、入力部１１２から入力されたパスワードとパスワード記憶部１１３に予め記憶されているパスワードとが一致したと判断された場合、表示規制パスワード判断部１１４によって、送信メール記憶部１０８及び受信メール記憶部１０９に記憶されている送信メール及び受信メールのフラグが「０」に書き換えられるのではなく、図６にて説明したステップＳ２３及び図７にて説明したステップＳ３３のフラグを判断する処理を行わずに、図６にて説明したステップＳ２４及び図７にて説明したステップＳ３４の処理をすべての送信メール及び受信メールに対して行うものであっても良い。この場合、ステップＳ４２にて、入力部１１２から入力されたパスワードとパスワード記憶部１１３に予め記憶されているパスワードとが一致したと判断された後、図６にて説明したステップＳ２１の送信メール一覧表示指示、または図７にて説明したステップＳ３１の受信メール一覧表示指示が行われる初回だけ、フラグが「１」であることにより表示規制されていた送信メール及び受信メールが他の規制対象外の送信メール及び受信メールとともに表示部１１１に表示されるものであっても良いし、初回だけではなく、所定の回数や、所定の時間において、表示されるものであっても良い。
【００６５】
ここで、表示規制を解除するためのパスワードは、送信メールと受信メールとで別個に設定されるものであっても良いし、さらにメールアドレス毎にそれぞれのパスワードが設定されるものであってもかまわない。
【００６６】
図９は、表示規制された状態での表示部１１１の受信メール一覧の表示と表示規制が解除された状態での表示部１１１の受信メール一覧の表示とを示す図である。
【００６７】
図９の左図に示すように、表示規制された状態では、表示規制されたメールアドレスが受信メール一覧に表示されない。
【００６８】
その後、「Ｍｅｎｕ」キーから表示規制解除を選択し、パスワードを入力すると、図９の右図に示すように、表示規制されていたメールアドレスであるｖｂ＠ｘｘｘ．ｘｘ、及びｙｙ＠ｘｘｘ．ｘｘが表示される。
【００６９】
以上説明したように本発明においては、送信または受信されたメールが表示規制されたメールアドレスを有するメールであると判断された場合、表示規制されたメールである旨を示すフラグと共に送信メール記憶部１０８または受信メール記憶部１０９に記憶されるため、表示部１１１に表示するか否かを判断するにはフラグのみを参照すれば良い。また、表示規制が設定された後、メールが送信または受信された時点で、当該メールが表示規制対象のメールかどうかが判断され、その結果と共に送信メール記憶部１０８または受信メール記憶部１０９に記憶されるため、すでに記憶されている送信メールまたは受信メールを検索する必要はない。
【００７０】
なお、以上説明した表示の規制とは、メールを表示させないように制御するものである。これは、メール全体を表示させないように制御するものであっても良いし、メールアドレスだけを表示してメールアドレス以外の件名や本文等を表示させないように制御するものであっても良い。
【図面の簡単な説明】
【００７１】
【図１】本発明の携帯端末の実施の一形態を示す図である。
【図２】図１に示した携帯端末におけるメール表示規制方法のうち、送信メールの表示の規制を設定する方法を説明するためのフローチャートである。
【図３】送信メール記憶部に記憶された、送信メールと送信メールそれぞれに設定されたフラグとの対応付けを示す図である。
【図４】図１に示した携帯端末におけるメール表示規制方法のうち、受信メールの表示の規制を設定する方法を説明するためのフローチャートである。
【図５】本発明の携帯端末にてメールが受信された旨を示す情報が表示された表示部の一例を示す図である。
【図６】図１に示した携帯端末におけるメール表示規制方法のうち、送信メールの表示を規制する方法を説明するためのフローチャートである。
【図７】図１に示した携帯端末におけるメール表示規制方法のうち、受信メールの表示を規制する方法を説明するためのフローチャートである。
【図８】図１に示した携帯端末におけるメール表示規制方法のうち、送信メールまたは受信メールの表示の規制を解除する方法を説明するためのフローチャートである。
【図９】表示規制された状態での表示部の受信メール一覧の表示と表示規制が解除された状態での表示部の受信メール一覧の表示とを示す図である。
【符号の説明】
【００７２】
１０１    アンテナ
１０２    無線部
１０３    ベースバンド処理部
１０４    アドレス抽出部
１０５    表示規制アドレス記憶部
１０６    表示規制判断部
１０７    メール振り分け部
１０８    送信メール記憶部
１０９    受信メール記憶部
１１０    表示制御部
１１１    表示部
１１２    入力部
１１３    パスワード記憶部
１１４    表示規制パスワード判断部
【図１】
2008059441.tif 000003
【図２】
2008059441.tif 000004
【図３】
2008059441.tif 000005
【図４】
2008059441.tif 000006
【図５】
2008059441.tif 000007
【図６】
2008059441.tif 000008
【図７】
2008059441.tif 000009
【図８】
2008059441.tif 000010
【図９】
2008059441.tif 000011